【手続補正書】
【提出日】平成27年4月2日(2015.4.2)
【手続補正１】
【補正対象書類名】特許請求の範囲
【補正対象項目名】全文
【補正方法】変更
【補正の内容】
【特許請求の範囲】
【請求項１】
ネットワークを介して他のメディアデータ送信装置、及び受信装置と接続されるメディアデータ送信装置であって、
カメラから取得した第１の映像データの前記受信装置への送信要求を、前記受信装置から受信する受信手段と、
前記メディアデータ送信装置の処理負荷、前記メディアデータ送信装置の最大配信数、及び前記ネットワークの状態のうちの少なくとも１つに基づいて、前記第１の映像データを前記受信装置へ送信するか否かを判定する判定手段と、
前記判定手段により前記第１の映像データを前記受信装置へ送信しないと判定された場合、前記他のメディアデータ送信装置により取得される第２の映像データの送信要求の送信先の情報を取得する取得手段と、
を有することを特徴とするメディアデータ送信装置。
【請求項２】
前記判定手段により前記第１の映像データを前記受信装置へ送信しないと判定された場合、前記受信装置に前記取得手段により取得された前記送信先の情報を送信する送信手段を更に有することを特徴とする請求項１記載のメディアデータ送信装置。
【請求項３】
前記判定手段は、前記メディアデータ送信装置が映像データを送信している受信装置の数が予め設定された閾値未満である場合に前記第１の映像データの前記受信装置への送信を実行すると判定し、前記メディアデータ送信装置が映像データを送信している受信装置の数が前記閾値以上である場合に前記第１の映像データの前記受信装置への送信を実行しないと判定することを特徴とする請求項１記載のメディアデータ送信装置。
【請求項４】
前記他のメディアデータ送信装置に対して、前記第２の映像データの前記受信装置へ送信するか否かを問い合わせる問い合わせ手段と、
前記判定手段により前記第１の映像データを前記受信装置へ送信しないと判定され、且つ、問い合わせ手段による問い合わせの結果、前記他のメディアデータ送信装置が前記第２の映像データを前記受信装置へ送信することとなった場合、前記受信装置に前記取得手段により取得された前記送信先を送信する送信手段と、
を更に有することを特徴とする請求項１記載のメディアデータ送信装置。
【請求項５】
前記他のメディアデータ送信装置に対して、前記第２の映像データの前記受信装置へ送信するか否かを問い合わせる問い合わせ手段と、
前記判定手段により前記第１の映像データを前記受信装置へ送信しないと判定され、且つ、問い合わせ手段による問い合わせの結果、前記他のメディアデータ送信装置が前記第２の映像データを前記受信装置へ送信しないこととなった場合、前記受信装置へ前記第１の映像データを送信しないことを示す応答を前記受信装置に送信する送信手段と、
を更に有することを特徴とする請求項１記載のメディアデータ送信装置。
【請求項６】
ネットワークを介して受信装置、及び情報処理装置と接続されるメディアデータ送信装置であって、
音声データの出力要求を前記受信装置から受信する受信手段と、
前記受信手段により受信された前記出力要求に応じて前記音声データを出力するか否かを判定する判定手段と、
前記判定手段により前記音声データを出力しないと判定された場合、前記情報処理装置に対する音声データの出力要求の送信先の情報を取得する取得手段と、
を有することを特徴とするメディアデータ送信装置。
【請求項７】
前記判定手段により前記音声データを出力しないと判定された場合、前記受信装置に前記取得手段により取得された前記送信先の情報を送信する送信手段を更に有することを特徴とする請求項６記載のメディアデータ送信装置。
【請求項８】
前記受信手段は、前記受信装置から前記音声データを受信し、
前記判定手段により前記受信手段により受信された前記音声データを出力しないと判定された場合、前記取得手段により取得された前記送信先を用いて、前記情報処理装置に前記受信手段により受信された前記音声データを送信する送信手段を更に有することを特徴とする請求項６記載のメディアデータ送信装置。
【請求項９】
前記判定手段は、前記メディアデータ送信装置が出力している音声データの数が予め設定された閾値未満である場合に前記出力要求に応じて前記音声データを出力すると判定し、前記メディアデータ送信装置が出力している音声データの数が前記閾値以上である場合に前記出力要求に応じて前記音声データを出力しないと判定することを特徴とする請求項６記載のメディアデータ送信装置。
【請求項１０】
前記受信手段は、前記受信装置から前記音声データを受信し、
前記取得手段により取得された前記送信先を用いて、前記情報処理装置に前記受信手段により受信された前記音声データを送信している間に、前記判定手段により前記音声データを出力すると判定された場合、前記出力要求に応じた前記音声データの出力処理が実行可能となったことを前記受信装置に通知する通知手段を更に有することを特徴とする請求項６記載のメディアデータ送信装置。
【請求項１１】
ネットワークを介して他のメディアデータ送信装置、及び受信装置と接続するメディアデータ送信装置が実行する情報処理方法であって、
カメラから取得した第１の映像データの前記受信装置への送信要求を、前記受信装置から受信する受信ステップと、
前記メディアデータ送信装置の処理負荷、前記メディアデータ送信装置の最大配信数、及び前記ネットワークの状態のうちの少なくとも１つに基づいて、前記第１の映像データを前記受信装置へ送信するか否かを判定する判定ステップと、
前記判定ステップで前記第１の映像データを前記受信装置へ送信しないと判定された場合、前記他のメディアデータ送信装置により取得される第２の映像データの送信要求の送信先の情報を取得する取得ステップと、
を含むことを特徴とする情報処理方法。
【請求項１２】
ネットワークを介して受信装置、及び情報処理装置と接続するメディアデータ送信装置が実行する情報処理方法であって、
音声データの出力要求を前記受信装置から受信する受信ステップと、
前記受信ステップで受信された前記出力要求に応じて前記音声データを出力するか否かを判定する判定ステップと、
前記判定ステップで前記音声データを出力しないと判定された場合、前記情報処理装置に対する音声データの出力要求の送信先を取得する取得ステップと、
を含むことを特徴とする情報処理方法。
【請求項１３】
コンピュータを、請求項１乃至１０何れか１項記載のメディアデータ送信装置の各手段として機能させるためのプログラム。
【手続補正２】
【補正対象書類名】明細書
【補正対象項目名】０００７
【補正方法】変更
【補正の内容】
【０００７】
そこで、本発明は、ネットワークを介して他のメディアデータ送信装置、及び受信装置と接続されるメディアデータ送信装置であって、カメラから取得した第１の映像データの前記受信装置への送信要求を、前記受信装置から受信する受信手段と、前記メディアデータ送信装置の処理負荷、前記メディアデータ送信装置の最大配信数、及び前記ネットワークの状態のうちの少なくとも１つに基づいて、前記第１の映像データを前記受信装置へ送信するか否かを判定する判定手段と、前記判定手段により前記第１の映像データを前記受信装置へ送信しないと判定された場合、前記他のメディアデータ送信装置により取得される第２の映像データの送信要求の送信先の情報を取得する取得手段と、を有することを特徴とする。